【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
筐体と、
前記筐体に設けられ、音声信号を音響再生出力する電気−音響変換手段と、
前記筐体の、前記電気−音響変換手段により音響再生された音声を収音可能な位置に設
けられる音響−電気変換手段と、
前記音響−電気変換手段からの信号から、前記電気−音響変換手段と前記音響−電気変
換手段との間における音響伝達関数を考慮して、前記音声信号の成分を除去する除去手段
と、
前記除去手段からの信号に基づいて、前記筐体に対して所定の操作がなされたか否かを
判断する判断手段と、
前記判断手段で前記筐体に対して所定の操作がなされたと判断されたときに、予め定め
られた所定の処理を行なうように制御する制御手段と、
を備えることを特徴とする音声出力装置。
【請求項２】
請求項１に記載の音声出力装置において、
前記筐体に対する前記所定の操作は、前記筐体の叩打であり、
前記判断手段は、記憶部に記憶されている前記筐体が叩打されたときに前記音響−電気
変換手段から得られる信号の波形と、前記除去手段からの信号の波形との相関を求め、そ
の相関結果に基づいて、前記筐体に対して所定の操作がなされたか否かを判断する
ことを特徴とする音声出力装置。
【請求項３】
請求項２に記載の音声出力装置において、
前記記憶部に、ユーザにより前記筐体が叩打されたときの前記音響−電気変換手段から
得られる信号の波形を記憶させる手段を備える
ことを特徴とする音声出力装置。
【請求項４】
請求項１に記載の音声出力装置において、
前記筐体に対する前記所定の操作は、前記筐体の叩打であり、
前記判断手段は、前記除去手段からの信号の最大振幅値を調べると共に、前記最大振幅
値からの減衰率が、予め定められた所定のものとなっているか否かに基づいて、前記筐体
に対して所定の操作がなされたか否かを判断する
ことを特徴とする音声出力装置。
【請求項５】
請求項１に記載の音声出力装置において、
前記筐体に対する前記所定の操作は、前記筐体の叩打であり、
前記判断手段は、前記除去手段からの信号の最大振幅値が、予め定められた所定値以上
であるか否かに基づいて、前記筐体に対して所定の操作がなされたか否かを判断する
ことを特徴とする音声出力装置。
【請求項６】
請求項５に記載の音声出力装置において、
前記所定値を選択設定する手段を備える
ことを特徴とする音声出力装置。
【請求項７】
請求項１に記載の音声出力装置において、
前記筐体に対する前記所定の操作は、前記筐体の叩打であり、
前記筐体は、叩打されたとき特定の共振周波数で共振する構造とされており、
前記除去手段からの信号に対して、前記共振周波数を中心とした信号成分を抽出するフ
ィルタ手段を設け、前記フィルタ手段からの信号に基づいて、前記筐体に対して叩打され
たか否かを判断する
ことを特徴とする音声出力装置。
【請求項８】
請求項１に記載の音声出力装置において、
前記音響−電気変換手段で収音して得たノイズの信号から前記ノイズを低減するための
ノイズ低減音声信号を生成し、前記ノイズ低減音声信号を前記電気−音響変換手段により
音響再生して、前記ノイズと音響的に合成することにより、前記ノイズを低減するノイズ
低減処理系を備える
ことを特徴とする音声出力装置。
【請求項９】
請求項１に記載の音声出力装置において、
前記筐体に対する前記所定の操作は、前記筐体の叩打であり、
前記判断手段は、前記筐体の叩打の回数も併せて判断するものであり、
前記制御手段は、前記筐体の叩打の回数に応じて異なる処理を行なうように制御する
ことを特徴とする音声出力装置。
【請求項１０】
請求項１に記載の音声出力装置において、
前記制御手段が行なう所定の処理は、前記電気−音響変換手段で音響再生する音声の音
量調整処理である
ことを特徴とする音声出力装置。
【請求項１１】
請求項１に記載の音声出力装置において、
前記制御手段が行なう所定の処理は、前記電気−音響変換手段で音響再生する音声信号
について振幅−周波数特性および／または位相−周波数特性の変更処理である
ことを特徴とする音声出力装置。
【請求項１２】
請求項８に記載の音声出力装置において、
前記制御手段が行なう所定の処理は、前記ノイズ低減音声信号を生成するためのノイズ
低減特性を変更する処理である
ことを特徴とする音声出力装置。
【請求項１３】
筐体と、
前記筐体に設けられ、音声信号を音響再生出力する電気−音響変換手段と、
前記筐体の、前記電気−音響変換手段により音響再生された音声を収音可能な位置に設
けられるものであって、２個の音響−電気変換素子で構成され、前記２個の音響−電気変
換素子のそれぞれの振動板を互いに対向させて配置させ、当該２個の振動板の対向空間を
収音する音波の入力空間とする音響−電気変換手段と、
前記音響−電気変換手段の前記２個の音響−電気変換素子からの信号の減算出力信号に
基づいて、前記筐体に対して所定の操作がなされたか否かを判断する判断手段と、
前記判断手段で前記筐体に対して所定の操作がなされたと判断されたときに、予め定め
られた所定の処理を行なうように制御する制御手段と、
を備えることを特徴とする音声出力装置。
【請求項１４】
筐体に設けられた電気−音響変換手段により音声信号を音響再生出力する音声出力装置
における音声出力方法において、
前記音声出力装置の除去手段が、前記筐体の、前記電気−音響変換手段により音響再生
された音声を収音可能な位置に設けられた音響−電気変換手段からの信号から、前記電気
−音響変換手段と前記音響−電気変換手段との間における音響伝達関数を考慮して、前記
音声信号の成分を除去する除去工程と、
前記音声出力装置の判断手段が、前記除去工程で得られる信号に基づいて、前記筐体に
対して所定の操作がなされたか否かを判断する判断工程と、
前記音声出力装置の制御手段が、前記判断工程で、前記筐体に対して所定の操作がなさ
れたと判断されたときに、予め定められた所定の処理を行なうように制御する制御工程と
、
を備えることを特徴とする音声出力方法。
【請求項１５】
筐体に設けられ、音声信号を音響再生出力する電気−音響変換手段と、
前記筐体の、前記電気−音響変換手段により音響再生された音声を収音可能な位置に設
けられるものであって、２個の音響−電気変換素子で構成され、前記２個の音響−電気変
換素子のそれぞれの振動板を互いに対向させて配置させ、当該２個の振動板の対向空間を
収音する音波の入力空間とする音響−電気変換手段と、
判断手段と、
制御手段と
を備える音声出力装置における音声出力方法であって、
前記判断手段が、前記音響−電気変換手段の前記２個の音響−電気変換素子からの信号
の減算出力信号に基づいて、前記筐体に対して所定の操作がなされたか否かを判断する判
断工程と、
前記制御手段が、前記判断工程で前記筐体に対して所定の操作がなされたと判断された
ときに、予め定められた所定の処理を行なうように制御する制御工程と、
を備えることを特徴とする音声出力方法。
【請求項１６】
筐体に設けられた電気−音響変換手段により音声信号を音響再生出力すると共に、前記
筐体の、前記電気−音響変換手段により音響再生された音声を収音可能な位置に設けられ
た音響−電気変換手段を備える音声出力装置に、
前記音響−電気変換手段からの信号から、前記電気−音響変換手段と前記音響−電気変
換手段との間における音響伝達関数を考慮して、前記音声信号の成分を除去する除去工程
と、
前記除去工程で得られる信号に基づいて、前記筐体に対して所定の操作がなされたか否
かを判断する判断工程と、
前記判断工程で、前記筐体に対して所定の操作がなされたと判断されたときに、予め定
められた所定の処理を行なうように制御する制御工程と、
を実行させるための音声出力処理用プログラム。
【請求項１７】
筐体に設けられ、音声信号を音響再生出力する電気−音響変換手段と、
前記筐体の、前記電気−音響変換手段により音響再生された音声を収音可能な位置に設
けられるものであって、２個の音響−電気変換素子で構成され、前記２個の音響−電気変
換素子のそれぞれの振動板を互いに対向させて配置させ、当該２個の振動板の対向空間を
収音する音波の入力空間とする音響−電気変換手段と、
判断手段と、
制御手段と
を備える音声出力装置に、
前記音響−電気変換手段の前記２個の音響−電気変換素子からの信号の減算出力信号に
基づいて、前記筐体に対して所定の操作がなされたか否かを判断する判断工程と、
前記判断工程で、前記筐体に対して所定の操作がなされたと判断されたときに、予め定
められた所定の処理を行なうように制御する制御工程と、
を実行させるための音声出力処理用プログラム。
【請求項１８】
ヘッドホン装置と、前記ヘッドホン装置が接続される音声出力装置とからなる音声出力
システムにおいて、
前記ヘッドホン装置は、
ヘッドホン筐体と、
前記ヘッドホン筐体に設けられ、前記音声出力装置からの音声信号を音響再生出力する
ヘッドホンドライバーと、
前記ヘッドホン筐体の、前記ヘッドホンドライバーにより音響再生された音声を収音可
能な位置に設けられる音響−電気変換手段と、
を備え、
前記音声出力装置は、
前記ヘッドホン装置の音響−電気変換手段からの信号から、前記ヘッドホンドライバー
と前記音響−電気変換手段との間における音響伝達関数を考慮して、前記音声信号の成分
を除去する除去手段と、
前記除去手段からの信号に基づいて、前記ヘッドホン筐体に対して所定の操作がなされ
たか否かを判断する判断手段と、
前記判断手段で前記筐体に対して所定の操作がなされたと判断されたときに、予め定め
られた所定の処理を行なうように制御する制御手段と、
を備えることを特徴とする音声出力システム。
【請求項１９】
ヘッドホン装置と、前記ヘッドホン装置が接続される音声出力装置とからなる音声出力
システムにおいて、
前記ヘッドホン装置は、
ヘッドホン筐体と、
前記ヘッドホン筐体の、前記電気−音響変換手段により音響再生された音声を収音可能
な位置に設けられるものであって、２個の音響−電気変換素子で構成され、前記２個の音
響−電気変換素子のそれぞれの振動板を互いに対向させて配置させ、当該２個の振動板の
対向空間を収音する音波の入力空間とする音響−電気変換手段と、
を備え、
前記音声出力装置は、
前記ヘッドホン装置の前記音響−電気変換手段の前記２個の音響−電気変換素子からの
信号の減算出力信号に基づいて、前記筐体に対して所定の操作がなされたか否かを判断す
る判断手段と、
前記判断手段の判断結果に応じて、予め定められた所定の処理を行なうように制御する
制御手段と、
を備えることを特徴とする音声出力システム。